【事件の表示】
　特願２００４−２００３６３「インクジェットプリンタ」拒絶査定不服審判事件〔平成１８年　１月２６日出願公開、特開２００６−　２１３８３〕について、次のとおり審決する。
【結　論】
　本件審判の請求は、成り立たない。
【理　由】
第１　手続の経緯
　本願は、平成１６年７月７日に出願したものであって、平成２２年５月１０日付けで手続補正がなされたが、同年９月６日付けで拒絶査定がなされ、これに対し、同年１２月６日付けで拒絶査定に対する審判請求がなされると同時に手続補正がなされたものである。
　その後、平成２３年１月２７日付けで、審判請求人に前置報告書の内容を示し意見を求めるための審尋を行ったところ、同年３月２５日に回答書が提出された。
　
第２　平成２２年１２月６日付けの手続補正についての補正却下の決定
［補正却下の決定の結論］
　平成２２年１２月６日付けの手続補正（以下「本件補正」という。）を却下する。
［理由］
１　補正の内容
　本件補正は、特許請求の範囲を補正する内容を含んでおり、本件補正により、特許請求の範囲は、以下のように補正された。
＜補正前＞
「【請求項１】
　インクを貯留するインクタンクと、
　インクを吐出する記録ヘッドと、
　前記インクタンクから前記記録ヘッドにインクを供給するインク供給管と、
　前記インク供給管の途中に配置され、インクを貯留するインク室と、このインク室の少なくとも一面に配置された可撓性を有するダンパー膜と、このダンパー膜を所定の初期位置に保持する弾性部材とを備えて、インクを一時的に貯留するダンパーと、
　前記インクタンクと前記ダンパーとの間に配置され、前記ダンパーに対してインクを送液する送液ポンプと、
　前記ダンパー膜の変位又は前記ダンパーから流出するインクの圧力の変化を検知することにより前記インク室内のインク残量を検知する残量検知手段と、
　前記残量検知手段が前記インク室内のインク残量が前記記録ヘッドに設けられているノズルに対する圧力を所定の負圧を保つのに必要な所定量以下であると検知したときに前記インクタンク内のインクを前記ダンパーに対して送液するように前記送液ポンプを制御する制御部と、を備えたことを特徴とするインクジェットプリンタ。
　　【請求項２】
　前記残量検知手段は、前記ダンパー膜の位置を検知するフォトセンサであり、
　前記ダンパー膜の膜面位置を検知することにより、前記インク室内のインク残量が、前記記録ヘッドに設けられているノズルに対する圧力を所定の負圧を保つのに必要な所定量に保たれているか否かを検知するものであることを特徴とする請求項１に記載のインクジェットプリンタ。
　　【請求項３】
　前記残量検知手段は、前記ダンパーから流出するインクの圧力を検知する圧力センサであり、
　前記ダンパーから前記記録ヘッドまでの間の前記インク供給管にかかる圧力を検知することにより、前記インク室内のインク残量が、前記記録ヘッドに設けられているノズルに対する圧力を所定の負圧を保つのに必要な所定量に保たれているか否かを検知するものであることを特徴とする請求項１に記載のインクジェットプリンタ。
　　【請求項４】
　前記記録ヘッドは、３０℃における粘度が１０〜５００ｍＰａ・ｓの高粘度の光硬化型インクを用いて記録媒体上に記録を行うものであり、前記記録ヘッドよりも前記記録媒体の搬送方向下流側に前記記録媒体上に着弾したインクに対して光を照射する光照射装置を備えたことを特徴とする請求項１から請求項３のいずれか一項に記載のインクジェットプリンタ。
　　【請求項５】
　前記インクは、紫外線を照射することによって硬化する紫外線硬化型インクであり、前記光照射装置から照射される光のうち少なくとも一部は紫外線であることを特徴とする請求項４に記載のインクジェットプリンタ。」
　
＜補正後＞
「【請求項１】
　
光硬化型
　
ヒータにより加熱された
記録媒体上に
　
前記記録ヘッドよりも前記記録媒体の搬送方向下流側に配置され前記記録媒体上に着弾したインクに対して光を照射する光照射装置と、
　前記インクタンクから前記記録ヘッドにインクを供給するインク供給管と、
　前記インク供給管の途中に配置され、インクを貯留するインク室と、このインク室の少なくとも一面に配置された可撓性を有するダンパー膜と、このダンパー膜を所定の初期位置に保持する弾性部材とを備えて、インクを一時的に貯留するダンパーと、
　前記インクタンクと前記ダンパーとの間に配置され、前記ダンパーに対してインクを送液する送液ポンプと、
　前記ダンパー膜の変位又は前記ダンパーから流出するインクの圧力の変化を検知することにより前記インク室内のインク残量を検知する残量検知手段と、
　前記残量検知手段が前記インク室内のインク残量が前記記録ヘッドに設けられているノズルに対する圧力を所定の負圧を保つのに必要な所定量以下であると検知したときに前記インクタンク内のインクを前記ダンパーに対して送液するように前記送液ポンプを制御する制御部と、を備えたことを特徴とするインクジェットプリンタ。
　　【請求項２】
　前記残量検知手段は、前記ダンパー膜の位置を検知するフォトセンサであり、
　前記ダンパー膜の膜面位置を検知することにより、前記インク室内のインク残量が、前記記録ヘッドに設けられているノズルに対する圧力を所定の負圧を保つのに必要な所定量に保たれているか否かを検知するものであることを特徴とする請求項１に記載のインクジェットプリンタ。
　　【請求項３】
　前記残量検知手段は、前記ダンパーから流出するインクの圧力を検知する圧力センサであり、
　前記ダンパーから前記記録ヘッドまでの間の前記インク供給管にかかる圧力を検知することにより、前記インク室内のインク残量が、前記記録ヘッドに設けられているノズルに対する圧力を所定の負圧を保つのに必要な所定量に保たれているか否かを検知するものであることを特徴とする請求項１に記載のインクジェットプリンタ。
　　【請求項４】
　前記インクは、紫外線を照射することによって硬化する紫外線硬化型インクであり、前記光照射装置から照射される光のうち少なくとも一部は紫外線であることを特徴とする
請求項１から請求項３のいずれか一項
（下線部は、審決において付した。以下、同様。）
　
２　補正目的についての検討
　補正前後の請求項の記載を比較すると、補正前の請求項２、３及び５が補正後の請求項２、３及び４にそれぞれ対応することは、明らかである。
　補正前の請求項４には、補正後の請求項１にない「前記記録ヘッドは、３０℃における粘度が１０〜５００ｍＰａ・ｓの高粘度の」という特定が付されているから、補正後の請求項１が補正前の請求項４に対応するものとはいえない。
　よって、補正後の請求項１は補正前の請求項１に対応するものと認められる。
　上記請求項１についての補正の内容は、以下の通りである。
　ア　補正前の「インクを貯留するインクタンク」を「
光硬化型
　イ　補正前の「インクを吐出する記録ヘッド」を「
ヒータにより加熱された
記録媒体上に
　ウ　「
前記記録ヘッドよりも前記記録媒体の搬送方向下流側に配置され前記記録媒体上に着弾したインクに対して光を照射する光照射装置と
　
　上記補正事項アは、インクタンクに貯留されるインクを「光硬化型」と限定したものであって、平成１８年法律第５５号改正附則第３条第１項によりなお従前の例によるとされる同法による改正前の特許法（以下「改正前特許法」という。）第１７条の２第４項第２号の特許請求の範囲の減縮を目的とするものに該当する。
　上記補正事項イは、記録ヘッドが吐出するインクを「ヒータにより加熱された」と限定し、記録ヘッドがインクを吐出する箇所を「記録媒体上に」と限定したものであって、改正前特許法第１７条の２第４項第２号の特許請求の範囲の減縮を目的とするものに該当する。
　上記補正事項ウは「インクジェットプリンタ」を特定するために必要な新たな事項を追加したものであって、改正前特許法第１７条の２第４項第２号の特許請求の範囲の減縮を目的とするものに該当しない。上記補正事項が請求項の削除、誤記の訂正、明瞭でない記載の釈明を目的とするものに該当しないことは明らかである。
　よって、上記補正事項を含む本件補正は、改正前特許法第１７条の２第４項の規定に違反するので、同法第１５９条第１項において読み替えて準用する同法第５３条第１項の規定により却下すべきものである。
　
３　独立特許要件について
　上記のように、本件補正は、補正目的に違反しているものであるが、念のため、独立特許要件についても検討しておく。
（１）本願補正発明
　本件補正後の請求項１に記載された発明（以下「本願補正発明」という。）は、以下の通りである。
「光硬化型インクを貯留するインクタンクと、
　ヒータにより加熱されたインクを記録媒体上に吐出する記録ヘッドと、
　前記記録ヘッドよりも前記記録媒体の搬送方向下流側に配置され前記記録媒体上に着弾したインクに対して光を照射する光照射装置と、　
　前記インクタンクから前記記録ヘッドにインクを供給するインク供給管と、
　前記インク供給管の途中に配置され、インクを貯留するインク室と、このインク室の少なくとも一面に配置された可撓性を有するダンパー膜と、このダンパー膜を所定の初期位置に保持する弾性部材とを備えて、インクを一時的に貯留するダンパーと、
　前記インクタンクと前記ダンパーとの間に配置され、前記ダンパーに対してインクを送液する送液ポンプと、
　前記ダンパー膜の変位又は前記ダンパーから流出するインクの圧力の変化を検知することにより前記インク室内のインク残量を検知する残量検知手段と、
　前記残量検知手段が前記インク室内のインク残量が前記記録ヘッドに設けられているノズルに対する圧力を所定の負圧を保つのに必要な所定量以下であると検知したときに前記インクタンク内のインクを前記ダンパーに対して送液するように前記送液ポンプを制御する制御部と、を備えたことを特徴とするインクジェットプリンタ。」
　
（２）引用刊行物
　ア　原査定の拒絶の理由に引用され、本願出願前に頒布された特開平１１−１５７０９３号公報（以下「刊行物１」という。）には、以下の記載が図とともにある。
　（ア）【請求項１】
インクを噴射して記録媒体に記録するインクジェットヘッドと、インクを貯留する交換可能なインクカートリッジと、このインクカートリッジから前記インクジェットヘッドに至るインク通路と、このインク通路に備えられる可撓性部材で密閉して形成された中間インク貯留袋と、前記インクカートリッジからインク貯留部側へ加圧して供給するインク加圧供給手段とを備え、前記インクジェットヘッドに対して前記中間インク貯留袋を下方位置に配置して水頭差による負圧を与え、この中間インク貯留袋より下方位置に前記インクカートリッジを配置したインクジェットプリンタであって、前記インクカートリッジから前記中間インク貯留袋に至るインク通路に、インクの逆流を規制する逆止弁を備える
インクジェットプリンタ
　（イ）【００３１】
インクジェットプリンタ１は、
インクカートリッジ４からインク貯留部側へ加圧して供給するインク加圧供給手段７とを備えている
【００３２】このインクジェットプリンタ１では、脱気したインクを用いており、インクカートリッジ４からインクジェットヘッド３に至るインク供給系は、空気が混入しない密閉した構造になっている。記録媒体２としては、紙、フィルム等があるが特に限定されない。脱気インクとしては、インク中の溶存気体量が１ｐｐｍ程度のものが好ましい。
【００３３】
インク加圧供給手段７は、一対の絞りローラ２０を制御手段１２の制御により回転し、インクカートリッジ４をつぶして絞り出しによる供給であり
　（ウ）【００３５】また、
中間インク貯留袋６は、インクジェットヘッド３に対してＨ２だけ下方位置に配置され、インクジェットヘッド３には水頭差による負圧が与えられている
　（エ）【００４０】また、
インクジェットプリンタ１は、中間インク貯留袋６に貯留されるインク量を検出するインク量検出手段１１と、このインク量に基づき一対の絞りローラ２０を制御する制御手段１２とを備えている。インク量検出手段１１の上検出部１１ａと下検出部１１ｂが、中間インク貯留袋６の上部６ａに乗せた移動体１１ｃの上限位置と下限位置とを検出するように構成される
【００４１】
中間インク貯留袋６内のインク量が少なくなると、中間インク貯留袋６の上部６ａの位置
が下がり、移動体１１ｃが下がるため、インク量検出手段１１の下検出部１１ｂが上部６ａの下限位置を検出し、この検出信号に基づき制御手段１２が一対の絞りローラ２０を駆動し、インクカートリッジ４からインクが中間インク貯留袋側へ供給される。このインクの供給により中間インク貯留袋６内のインク量が多くなると、中間インク貯留袋６の上部６ａの位置が上り、移動体１１ｃが連動して上がりインク量検出手段１１の上検出部１１ａが上部６ａの上限位置を検出すると、この検出信号に基づき制御手段１２が一対の絞りローラ２０の駆動を停止し、インクカートリッジ４からのインクの供給が停止される
【００４２】
このように、中間インク貯留袋６に貯留されるインク量を検出し、このインク量に基づき一対の絞りローラ２０を制御することで、中間インク貯留袋側へのインクの供給を適切に行うことができ、インクジェットヘッド３ヘの圧力をより安定化することができる
　（オ）【００９３】具体的には図１を用いて説明する。インクカートリッジ４は容量１リットルの空気バリヤー性のある可撓性の長方形の平袋を用いた。口栓４ａはゴム、インク通路５を形成する可撓性チューブの先端のインク針５ａに接続する。可撓性チューブの太さは表面張力の影響で液が押し止まる力を小さくするため、内径３ｍｍを用いた。一対の絞りローラ２０を駆動すると、インクは上方に流出し中間インク貯留袋６にたまる。この時空気は中間インク貯留袋の内上部に溜まる。この空気を開閉弁ｌ３を開いて放出し、そして開閉弁１３を閉じ中間インク貯留袋を密閉する。開閉弁１３の位置はインクジェットヘッド３より下側であることが望まししい。他の空気抜きの方法は、インクの出側口を最も高い位置に置きインクと共にインクジェットヘッド３側に流出させる場合もある。この作業は通常のインクジェットプリンタで行うインク吸引作業と全く同じである。
［中間インク貯留袋の内圧力］インクカートリッジ４の袋より一対の絞りローラ２０を駆動して中間インク貯留袋６にインクを供給している時も、インク供給が無いときも圧力の変化は無視できるほど小さい
　
　（カ）上記記載及び図面を含む刊行物１全体の記載から、刊行物１には、以下の発明が記載されていると認められる。
「インクを噴射して記録媒体に記録するインクジェットヘッドと、インクを貯留する交換可能なインクカートリッジと、このインクカートリッジから前記インクジェットヘッドに至るインク通路と、このインク通路に備えられる可撓性部材で密閉して形成された中間インク貯留袋と、前記インクカートリッジからインク貯留部側へ加圧して供給するインク加圧供給手段とを備え、前記インクジェットヘッドに対して前記中間インク貯留袋を下方位置に配置して水頭差による負圧を与え、この中間インク貯留袋より下方位置に前記インクカートリッジを配置し、前記インクカートリッジから前記中間インク貯留袋に至るインク通路に、インクの逆流を規制する逆止弁を備えるインクジェットプリンタであって、
　インクジェットプリンタ１は、インクカートリッジ４からインク貯留部側へ加圧して供給するインク加圧供給手段７を備えており、
　インク加圧供給手段７は、一対の絞りローラ２０を制御手段１２の制御により回転し、インクカートリッジ４をつぶして絞り出しによる供給であり、
　中間インク貯留袋６は、インクジェットヘッド３に対してＨ２だけ下方位置に配置され、インクジェットヘッド３には水頭差による負圧が与えられており、
　インクジェットプリンタ１は、中間インク貯留袋６に貯留されるインク量を検出するインク量検出手段１１と、このインク量に基づき一対の絞りローラ２０を制御する制御手段１２とを備えており、
　インク量検出手段１１の上検出部１１ａと下検出部１１ｂが、中間インク貯留袋６の上部６ａに乗せた移動体１１ｃの上限位置と下限位置とを検出するように構成され、
　中間インク貯留袋６内のインク量が少なくなると、中間インク貯留袋６の上部６ａの位置が下がり、移動体１１ｃが下がるため、インク量検出手段１１の下検出部１１ｂが上部６ａの下限位置を検出し、この検出信号に基づき制御手段１２が一対の絞りローラ２０を駆動し、インクカートリッジ４からインクが中間インク貯留袋側へ供給され、このインクの供給により中間インク貯留袋６内のインク量が多くなると、中間インク貯留袋６の上部６ａの位置が上り、移動体１１ｃが連動して上がりインク量検出手段１１の上検出部１１ａが上部６ａの上限位置を検出すると、この検出信号に基づき制御手段１２が一対の絞りローラ２０の駆動を停止し、インクカートリッジ４からのインクの供給が停止され、このように、中間インク貯留袋６に貯留されるインク量を検出し、このインク量に基づき一対の絞りローラ２０を制御することで、中間インク貯留袋側へのインクの供給を適切に行うことができ、インクジェットヘッド３ヘの圧力をより安定化することができるものであり、
　中間インク貯留袋の内圧力は、インクカートリッジ４の袋より一対の絞りローラ２０を駆動して中間インク貯留袋６にインクを供給している時も、インク供給が無いときも圧力の変化は無視できるほど小さい
インクジェットプリンタ。」（以下「引用発明」という。）
　
　イ　原査定の拒絶の理由に引用され、本願出願前に頒布された特開２００４−２５７０８号公報（以下「刊行物２」という。）には、以下の記載が図とともにある。
　（ア）【請求項１】
圧力発生室を圧電振動子により膨張、収縮させてノズル開口からインク滴を吐出させるインクジェットヘッドを用いるインクジェット記録方法において、該圧力発生室を膨張させる第１の膨張工程と、該ノズル開口からインク滴が吐出するように圧力発生室を収縮させる第１の収縮工程と、該第１の膨張工程での容積変化よりも少なく膨張させる第２の膨張工程と、該圧力発生室を収縮させる第２の収縮工程をこの順に連続して有し、
インクが光重合性化合物及び色剤を含有し、ノズル開口より該インクを噴射し被記録体上に画像を形成した後、紫外線を照射する
　（イ）【請求項６】
３０℃における粘度が１０〜５００ｍＰａ・ｓの液体である
インクを加熱手段により４０〜１５０℃に加熱する
　（ウ）【００４９】
基本的な照射方法は、特開昭６０−１３２７６７号に開示されている如く、ヘッドユニットの両側に光源を設け、シャトル方式でヘッドと光源を走査する。照射は、インク着弾後、一定時間を置いて行われることになる。更に、
駆動を伴わない別光源によって硬化を完了させる
　
　ウ　原査定の拒絶の理由に引用され、本願出願前に頒布された特開２００１−１７１１４２号公報（以下「刊行物３」という。）には、以下の記載が図とともにある。
　（ア）【００１８】キャリッジ３には図２に記載のインク圧力減衰器８も搭載されており、インクカートリッジ装着部９に着脱可能に装着されているインクカカートリッジ１０のインクは、インクチューブ１１およびインク圧力減衰器８を介してインクジェットヘッド２に供給される。
　（イ）【００２３】一方、インクチューブ１１の他端はインク圧力減衰器８に接続されている。
【００２４】図３に示すように、
インク圧力減衰器８は、偏平なカップ状の硬質ケース本体８１と、このケース本体８１の開口部を塞ぐようにケース本体８１に貼り付けられている軟質のフィルム８２と、このフィルム８２の内面に貼り付けた板ばね８３とを有し、ケース本体８１とフィルム８２との間に圧力減衰室８０が形成されている
【００２５】ケース本体８１にはインク流入口８４とインク流出口８５が形成されている。インク流入口８４にはインクチューブ１１が接続され、インク流出口８５は、ケース本体８１に形成されたインク流出経路８６の上端に連通している。このインク流出経路８６の下端は大径のヘッド接続部８７となっている。
【００２６】この構成のインク圧力減衰器８の圧力減衰室８０には所定量のインク４０が溜められている。
圧力減衰室８０の内圧の増減に応じて、フィルム８２が板ばね８３を外側若しくは内側に弾性変形させて、その容積が増減する。このフィルム８２の変位によって圧力減衰室８０の内圧が一定となるように保持される。よって、インク流入口８４の側のインク圧力が変動しても、インク流出口８５からインクジェットヘッド２の側に供給されるインク供給圧が一定となるように保持される
　（ウ）上記（ア）及び【図２】から、インク圧力減衰器８は、インクジェットヘッド２とインクカートリッジ１０の間に配置されていることが看取できる。
　
（３）対比
　ａ　本願補正発明と引用発明とを比較すると、引用発明の「インクカートリッジ」、「記録媒体」、「インクジェットヘッド」、「インク通路」、「インク量検出手段１１」、「制御手段１２」及び「インクジェットプリンタ」は、それぞれ本願補正発明の「インクタンク」、「記録媒体」、「記録ヘッド」、「インク供給管」、「残量検知手段」、「制御部」及び「インクジェットプリンタ」に相当する。
　ｂ　引用発明の「インクカートリッジ」（インクタンク）は「インクを貯留」し、引用発明の「記録ヘッド」は「インクを噴射して記録媒体に記録する」から、引用発明は、インクを貯留するインクタンクと、インクを記録媒体上に吐出する記録ヘッドと、を備えている点で本願補正発明と共通する。
　ｃ　引用発明の「インク通路」は「このインクカートリッジから前記インクジェットヘッドに至る」ものであるから、本願補正発明の「インク供給管」と、インクタンクから記録ヘッドにインクを供給する点で一致する。
　ｄ　引用発明の「中間インク貯留袋」は「インク通路に備えられる可撓性部材で密閉して形成された」ものであるから、インク供給管の途中に配置されることは当業者に自明であり、密閉して形成された空間を「インクを貯留するインク室」と称することができ、該インク室がインクを一時的に貯留することは当業者に自明である。また、引用発明の「中間インク貯留袋」は「可撓性部材で」「形成され」ているから、可撓性を有する部位を有している。
　よって、引用発明の「中間インク貯留袋」と、本願補正発明の「前記インク供給管の途中に配置され、インクを貯留するインク室と、このインク室の少なくとも一面に配置された可撓性を有するダンパー膜と、このダンパー膜を所定の初期位置に保持する弾性部材とを備えて、インクを一時的に貯留するダンパー」とは「インク供給管の途中に配置され、インクを貯留するインク室と、可撓性を有する部位とを備えて、インクを一時的に貯留するインク貯留部」の点で共通する。
　ｅ　引用発明の「インク加圧供給手段７」は「一対の絞りローラ２０を制御手段１２の制御により回転し」「インクカートリッジ４をつぶして絞り出し」「インクカートリッジ４からインク貯留部側へ加圧して供給する」ものであるから、引用発明の「インク加圧供給手段７」と、本願補正発明の「前記インクタンクと前記ダンパーとの間に配置され、前記ダンパーに対してインクを送液する送液ポンプ」とは「インク貯留部に対してインクを送液する送液手段」の点で共通する。
　ｆ　引用発明の「インク量検出手段１１」は「インク量検出手段１１の上検出部１１ａと下検出部１１ｂが、中間インク貯留袋６の上部６ａに乗せた移動体１１ｃの上限位置と下限位置とを検出するように構成され」「中間インク貯留袋６に貯留されるインク量を検出」するものであるから、引用発明の「インク量検出手段１１」と、本願補正発明の「前記ダンパー膜の変位又は前記ダンパーから流出するインクの圧力の変化を検知することにより前記インク室内のインク残量を検知する残量検知手段」とは「可撓性を有する部位の変位を検知することによりインク室内のインク残量を検知する残量検知手段」の点で共通する。
　ｇ　引用発明の「中間インク貯留袋６」は「インクジェットヘッド３に対してＨ２だけ下方位置に配置され、インクジェットヘッド３には水頭差による負圧が与えられており」、引用発明の「制御手段１２」は「インク量検出手段１１の上検出部１１ａと下検出部１１ｂが、中間インク貯留袋６の上部６ａに乗せた移動体１１ｃの上限位置と下限位置とを検出するように構成され、中間インク貯留袋６内のインク量が少なくなると、中間インク貯留袋６の上部６ａの位置が下がり、移動体１１ｃが下がるため、インク量検出手段１１の下検出部１１ｂが上部６ａの下限位置を検出し、この検出信号に基づき制御手段１２が一対の絞りローラ２０を駆動し、インクカートリッジ４からインクが中間インク貯留袋側へ供給され、このインクの供給により中間インク貯留袋６内のインク量が多くなると、中間インク貯留袋６の上部６ａの位置が上り、移動体１１ｃが連動して上がりインク量検出手段１１の上検出部１１ａが上部６ａの上限位置を検出すると、この検出信号に基づき制御手段１２が一対の絞りローラ２０の駆動を停止し、インクカートリッジ４からのインクの供給が停止され、このように、中間インク貯留袋６に貯留されるインク量を検出し、このインク量に基づき一対の絞りローラ２０を制御することで、中間インク貯留袋側へのインクの供給を適切に行うことができ、インクジェットヘッド３ヘの圧力をより安定化することができるものであ」り、「中間インク貯留袋の内圧力は、インクカートリッジ４の袋より一対の絞りローラ２０を駆動して中間インク貯留袋６にインクを供給している時も、インク供給が無いときも圧力の変化は無視できるほど小さ」いものであるから、インクジェットヘッド３に与えられている水頭差による負圧は、無視できるほど小さい幅で保たれていることは、当業者に自明である。
　よって、引用発明の「制御手段１２」と、本願補正発明の「前記残量検知手段が前記インク室内のインク残量が前記記録ヘッドに設けられているノズルに対する圧力を所定の負圧を保つのに必要な所定量以下であると検知したときに前記インクタンク内のインクを前記ダンパーに対して送液するように前記送液ポンプを制御する制御部」とは「残量検知手段がインク室内のインク残量が記録ヘッドに設けられているノズルに対する圧力を所定の負圧を保つのに必要な所定量以下であると検知したときにインクタンク内のインクをインク貯留部に対して送液するように送液手段を制御する制御部」の点で共通する。
　ｈ　ａないしｇから、本願補正発明と引用発明は、
「インクを貯留するインクタンクと、
　インクを記録媒体上に吐出する記録ヘッドと、
　前記インクタンクから前記記録ヘッドにインクを供給するインク供給管と、
　前記インク供給管の途中に配置され、インクを貯留するインク室と、可撓性を有する部位とを備えて、インクを一時的に貯留するインク貯留部と、
　前記インク貯留部に対してインクを送液する送液手段と、
　前記可撓性を有する部位の変位を検知することにより前記インク室内のインク残量を検知する残量検知手段と、
　前記残量検知手段が前記インク室内のインク残量が前記記録ヘッドに設けられているノズルに対する圧力を所定の負圧を保つのに必要な所定量以下であると検知したときに前記インクタンク内のインクを前記インク貯留部に対して送液するように前記送液手段を制御する制御部と、を備えたインクジェットプリンタ。」
の点で一致し、以下の点で相違している。
［相違点１］インクタンクに貯留されるインクに関し、本願補正発明は「光硬化型」インクと特定されているのに対し、引用発明のインクが光硬化型か否か明らかでない点。
［相違点２］記録ヘッドにより吐出されるインクに関し、本願補正発明は、「ヒータにより加熱された」インクと特定されているのに対し、引用発明のインクがヒータにより加熱されたものであるか否か明らかでない点。
［相違点３］本願補正発明は「前記記録ヘッドよりも前記記録媒体の搬送方向下流側に配置され前記記録媒体上に着弾したインクに対して光を照射する光照射装置」を備えているのに対し、引用発明は、光照射装置を備えているのか否か明らかでない点。
［相違点４］インク貯留部に関し、本願補正発明は「このインク室の少なくとも一面に配置された可撓性を有するダンパー膜と、このダンパー膜を所定の初期位置に保持する弾性部材とを備え」、「ダンパー」と特定されているのに対し、引用発明は、可撓性部材で密閉して形成された中間インク貯留袋であって、インク室の少なくとも一面に配置されたダンパー膜を備えているとまではいえず、弾性部材を備えているのか否か明らかでなく、ダンパーと特定されていない点。
［相違点５］送液手段に関し、本願補正発明は「前記インクタンクと前記ダンパーとの間に配置され、前記ダンパーに対してインクを送液する送液ポンプ」と特定されているのに対し、引用発明は、一対の絞りローラ２０の回転でインクカートリッジ４をつぶして絞り出すインク加圧供給手段である点。
［相違点６］残量検知手段に関し、本願補正発明は「前記ダンパー膜の変位又は前記ダンパーから流出するインクの圧力の変化を検知することにより」インク室内のインク残量を検知すると特定されているのに対し、引用発明は、インク量検出手段１１の上検出部１１ａと下検出部１１ｂが、中間インク貯留袋６の上部６ａに乗せた移動体１１ｃの上限位置と下限位置とを検出することによりインク室内のインク残量を検知するものである点。
　
（４）判断
　ア　上記相違点１ないし３について検討する。
　ａ　刊行物２には「光重合性化合物及び色剤を含有するインクを加熱手段により加熱し、ノズル開口より該インクを被記録体上に噴射し、その後駆動を伴わない光源によって紫外線を照射するインクジェット記録方法」が記載されているものと認められる。
　ｂ　インクジェット記録において、様々なインクが求められることは自明であるところ、引用発明１において、刊行物２記載のようなインクを記録できるように、引用発明のインクカートリッジ（インクタンク）に光重合性化合物及び色剤を含有するインクを貯留させ、加熱手段により加熱されたインクをインクジェットヘッド（記録ヘッド）から吐出させ、その後駆動を伴わない光源によって紫外線を照射するようになすことは当業者が容易になし得る程度のことである。
　ｃ　刊行物２記載のようなインクを記録できるようになした引用発明の「光重合性化合物及び色剤を含有するインク」は、本願補正発明のインクタンクに貯留される「光硬化型インク」に相当し、前記引用発明の「加熱手段により加熱されたインク」は、本願補正発明の「ヒータにより加熱されたインク」に相当し、インクジェット記録装置において、記録媒体を搬送することが技術常識であることを考慮すると、前記引用発明の「紫外線を照射する」「駆動を伴わない光源」は、本願補正発明の記録ヘッドよりも記録媒体の搬送方向下流側に配置され前記記録媒体上に着弾したインクに対して光を照射する光照射装置に相当する。
　ｄ　よって、引用発明において、本願補正発明の上記相違点１ないし３のような構成を採用することは当業者が容易になし得る程度のことである。
　
　イ　上記相違点４について検討する。
　ａ　刊行物３には、インクジェットヘッドに供給されるインクの供給圧力を一定にかつ減衰すべくインクジェットヘッドとインクカートリッジの間に配置される「偏平なカップ状の硬質ケース本体と、このケース本体の開口部を塞ぐようにケース本体に貼り付けられている軟質のフィルムと、このフィルムの内面に貼り付けた板ばねとを有し、ケース本体とフィルムとの間に圧力減衰室が形成されているインク圧力減衰器であって、インク流入口の側のインク圧力が変動しても、インク流出口からインクジェットヘッドの側に供給されるインク供給圧が一定となるようにフィルム及び板ばねが外側若しくは内側に弾性変形する圧力減衰器」が記載されているものと認められる。
　ｂ　引用発明は、中間インク貯留袋６をインクジェットヘッド３に対してＨ２だけ下方位置に配置することにより、インクジェットヘッド３に水頭差による負圧を与え、即ち、インクジェットヘッドに供給されるインクの供給圧力を減衰しているものであるが、下方に配置しなければならないという配置上の制約がある。そのような制約を解消すべく、引用発明の「中間インク貯留袋６」を刊行物３に記載された圧力減衰器とすることは当業者が容易になし得る程度のことである。
　ｃ　刊行物３に記載された圧力減衰器を適用した引用発明の「ケース本体の開口部を塞ぐようにケース本体に貼り付けられている軟質のフィルム」は、本願補正発明の「インク室の少なくとも一面に配置された可撓性を有するダンパー膜」に相当し、前記引用発明の「インク流出口からインクジェットヘッドの側に供給されるインク供給圧が一定となるように」「外側若しくは内側に弾性変形する」「フィルムの内面に貼り付けた板ばね」は、本願補正発明の「ダンパー膜を所定の初期位置に保持する弾性部材」に相当し、前記引用発明の「圧力減衰器」が本願補正発明の「ダンパー」に相当する。
　ｄ　よって、引用発明において、本願補正発明の上記相違点４のような構成を採用することは当業者が容易になし得る程度のことである。
　
　ウ　上記相違点５について検討する。
　インクタンクと記録ヘッドの間に配置されたインク貯留部に対する液送手段として、インクタンクとインク貯留部との間に配置され、インク貯留部に対してインクを液送するポンプは、原査定の拒絶の理由に引用された特開平９−７０９８４号公報（以下「刊行物４」という。）に記載されているから、引用発明の送液手段として、刊行物４記載の事項を適用し、本願補正発明の上記相違点５のような構成を採用することは当業者が容易になし得る程度のことである。
　
　エ　上記相違点６について検討する。
　ａ　上記イで検討した刊行物３に記載された圧力減衰器を適用した引用発明において、圧力減衰器中のインク量に応じて軟質のフィルムが外側若しくは内側に変位することは明らかである。
　そもそも引用発明は、貯留されるインク量に応じて変位する中間インク貯留袋の変位を検知して中間インク貯留袋に貯留されるインク量を検出しているものであるから、刊行物３に記載された圧力減衰器を適用した引用発明においても、圧力減衰器中のインク量を検出するべく、圧力減衰器中のインク量に応じて変位する軟質のフィルムの変位を検知することによりインク室内のインク残量を検知するようにすることは当業者が容易になし得る程度のことである。
　そうすると、前記引用発明は、ダンパー膜の変位を検知することによりインク室内のインク残量を検知するものとなる。
　ｂ　記録ヘッドにインク通路を介してインクを供給するインク貯留器を有するインクジェット記録装置において、インク通路に圧力センサを設けインク貯留器内のインク残量を検出することが原査定の拒絶の理由に引用された特開平４−７７２６４号公報（以下「刊行物５」という。）に記載されている。
　ｃ　引用発明は、インクジェットヘッドに至るインク通路に備えられる中間インク貯留袋に貯留されるインク量を検出しているところ、上記ロで検討した刊行物３に記載された圧力減衰器を適用した引用発明において、インク量の検出手段として、上記刊行物５記載の事項を適用し、ダンパーから流出するインクの圧力の変化を検知することによりインク室内のインク残量を検知するようになすことは当業者が容易になし得る程度のことである。
　ｄ　よって、引用発明において、本願補正発明の上記相違点６のような構成を採用することは当業者が容易になし得る程度のことである。
　
　オ　以上のように、引用発明に本願補正発明の相違点１〜６の構成を備えることは、刊行物１に記載された発明及び刊行物２ないし５に記載された事項に基づいて当業者が容易に想到できたことであり、かかる構成を採用することによる本願補正発明の効果も当業者が予測できる範囲のものである。
　
　カ　よって、本願補正発明は、その出願前に頒布された刊行物１に記載された発明及び刊行物２ないし５に記載された事項に基づいて、当業者が容易に発明をすることができたものであるから、特許法第２９条第２項の規定により特許出願の際独立して特許を受けることができないものである。
　
（５）むすび
　したがって、本件補正は、改正前特許法第１７条の２第５項において準用する同法第１２６条第５項の規定に違反するので、同法第１５９条第１項において読み替えて準用する同法第５３条第１項の規定により却下すべきものである。
　
第３　本願発明について
１　平成２２年１２月６日付け手続補正は上記のとおり却下されたので、本願の請求項１ないし５に係る発明は、平成２２年５月１０日付け手続補正後の特許請求の範囲の請求項１ないし５に記載された事項により特定されるものであり、その請求項１に係る発明（以下「本願発明」という。）は、以下のとおりである。
　
「インクを貯留するインクタンクと、
　インクを吐出する記録ヘッドと、
　前記インクタンクから前記記録ヘッドにインクを供給するインク供給管と、
　前記インク供給管の途中に配置され、インクを貯留するインク室と、このインク室の少なくとも一面に配置された可撓性を有するダンパー膜と、このダンパー膜を所定の初期位置に保持する弾性部材とを備えて、インクを一時的に貯留するダンパーと、
　前記インクタンクと前記ダンパーとの間に配置され、前記ダンパーに対してインクを送液する送液ポンプと、
　前記ダンパー膜の変位又は前記ダンパーから流出するインクの圧力の変化を検知することにより前記インク室内のインク残量を検知する残量検知手段と、
　前記残量検知手段が前記インク室内のインク残量が前記記録ヘッドに設けられているノズルに対する圧力を所定の負圧を保つのに必要な所定量以下であると検知したときに前記インクタンク内のインクを前記ダンパーに対して送液するように前記送液ポンプを制御する制御部と、を備えたことを特徴とするインクジェットプリンタ。
」
　
２　引用刊行物
　原査定の拒絶の理由に引用された刊行物及びその記載事項は、前記「第２［理由］３（２）」に記載したとおりである。
　
３　対比
　本願発明と引用発明を対比すると、
「インクを貯留するインクタンクと、
　インクを吐出する記録ヘッドと、
　前記インクタンクから前記記録ヘッドにインクを供給するインク供給管と、
　前記インク供給管の途中に配置され、インクを貯留するインク室と、可撓性を有する部位とを備えて、インクを一時的に貯留するインク貯留部と、
　前記インク貯留部に対してインクを送液する送液手段と、
　前記可撓性を有する部位の変位を検知することにより前記インク室内のインク残量を検知する残量検知手段と、
　前記残量検知手段が前記インク室内のインク残量が前記記録ヘッドに設けられているノズルに対する圧力を所定の負圧を保つのに必要な所定量以下であると検知したときに前記インクタンク内のインクを前記インク貯留部に対して送液するように前記送液手段を制御する制御部と、を備えたインクジェットプリンタ。」で一致し、前記「第２［理由］３（３）」で検討した［相違点４］ないし［相違点６］で相違する（ただし、「本願補正発明」を「本願発明」と読み替える。）
　
４　判断
　［相違点４］ないし［相違点６］については、前記「第２［理由］３（４）」で検討したとおりである。
　
５　むすび
　以上のとおり、本願発明は、その出願前に頒布された刊行物１記載の発明発明及び刊行物３ないし５に記載された事項に基づいて、当業者が容易に発明をすることができたものであり、特許法第２９条第２項の規定により特許を受けることができないから、他の請求項に係る発明を検討するまでもなく、本願は、拒絶されるべきものである。
　よって、結論のとおり審決する。